(57)【特許請求の範囲】
【請求項１】
容器本体の開口部に取り付けられる中栓と、前記中栓の外側に取り付けられる筒状の上蓋とからなるキャップであって、
前記中栓は、前記容器本体の開口部に取り付けられる中栓本体と、前記中栓本体の中央部分においてスコアを介して連結され、分離部側係止部が設けられた分離部と、前記中栓本体の周囲に形成された周溝部と、を備え、
前記上蓋は、上蓋本体と、前記上蓋本体の内部の基底面から立設して設けられ前記分離部の前記分離部側係止部と係合可能な上蓋側係止部と、前記上蓋側係止部と前記上蓋本体の内周壁との間であって前記周溝部に対向する位置に設けられたよう壁と、前記上蓋側係止部と前記よう壁との間に設けられた大径円筒部と、
を備え、
前記分離部は、前記上蓋側係止部と、前記大径円筒部との間の間隙に挿通可能な形状を有することを特徴とするキャップ。
【請求項２】
前記よう壁が前記周溝部の径方向における外側の内周壁に当接することを特徴とする請求項１記載のキャップ。
【請求項３】
前記よう壁が前記周溝部の径方向における内側の内周壁に当接することを特徴とする請求項１項記載のキャップ。
【請求項４】
前記上蓋の周壁部の内周面に内ねじが設けられているとともに、前記中栓本体の外周面に前記内ねじと螺合する外ねじが設けられていることを特徴とする請求項１乃至３の何れか１項記載のキャップ。
【請求項５】
前記容器本体の外周面に外ねじが設けられているとともに、前記上蓋の周壁部の内周面には前記外ねじと螺合可能な内ねじがもうけられていることを特徴とする請求項１乃至３の何れか１項記載のキャップ。
【請求項６】
前記内ねじのリードをＬ、前記内ねじの条数をＮ、前記内ねじのピッチをＰとするとき、前記よう壁と前記周溝部の前記内周壁との当接距離について、当接距離≧Ｌ×（１／２）であり、かつ当接距離≧Ｎ×Ｐ×（１／２）となることを特徴とする請求項４又は５記載のキャップ。
【請求項７】
開口部が形成された筒状の容器本体と、
前記容器本体に取り付けられて前記容器本体を開閉可能に密閉するキャップと、
を備えたキャップ付き容器であって、前記キャップは請求項１乃至６の何れか１項に記載されているキャップであること
を特徴とするキャップ付き容器。
【発明の詳細な説明】
【技術分野】
【０００１】
本発明は、ボトル状の容器の口部に設けられる容器用のキャップ及びキャップ付き容器に関するものである。
【背景技術】
【０００２】
ボトル状の容器のキャップとして、容器の開口部に取り付けられる、プルリングを有する封止用の中栓と、中栓に螺合されこれを閉じる上蓋とを組み合わせたものが一般的に知られている（特許文献１参照）。
【０００３】
このようなキャップでは、上蓋の開栓後に中栓のプルリングを開口方向に斜めに引っ張ることで中栓の開口が行われる。
【０００４】
しかし、このようなプルリングを用いるキャップでは、中栓の開口の際にウェルド等の切れやすい部分でプルリングがちぎれてしまい、開口できなくなる場合がある。
【０００５】
また、例えばスコア部のピンホール防止のためにスコア部を厚くすると、中栓の開口強度が上がり、子供や高齢者等の利用者による開口が困難になってしまう。
【０００６】
また、プルリングのリング部の大きさを様々な利用者の指が入るように大きく確保する場合には、こうしたプルリングを小口径の中栓に用いることは困難になってしまい、またプルリングの大型化に伴いキャップ全体のデザインも制限されてしまう。
【０００７】
また、開口した後に残るプルリングはごみとなり、通常これを放置することは周辺環境の美観を損ねるため、食事や調理の最中においてもこの廃棄作業が必要となり煩雑である。
【０００８】
そこで、プルリングを用いないキャップであって、上蓋の回転動作のみにより中栓の開口を行うことができ、小口径の中栓にも用いることができ、キャップのデザインに制限を与えず、かつ開口後にごみを発生することの無いものが提案されている（特許文献２参照）。
【０００９】
こうした上蓋の回転動作により中栓の開口を行うことのできるキャップでは、容器に取り付けられる中栓は当初の状態において容器を密閉している。そして、上蓋の回転動作により中栓の一部である中栓上蓋が中栓本体より分離し、当該分離した部分が上蓋に固定されることで中栓の開口を行うとともに、開口後にごみを発生することの無いようになっている。
【先行技術文献】
【特許文献】
【００１０】
【特許文献１】特開平８−５８８１６号公報
【特許文献２】特開２０１２−２１０９８２号公報
【発明の概要】
【発明が解決しようとする課題】
【００１１】
ところで、上述した従来の上蓋の回転動作により中栓の開口を行うキャップでは、中栓の開口後に再度キャップを閉じた状態において、中栓上蓋や上蓋の内周部分に容器の内容物が付着することがある。
【００１２】
これらの部位に付着した内容物は、中栓の外縁部から上蓋と容器本体、又は上蓋と中栓本体との螺合部分にまで垂れ広がってしまい、螺合部分を汚してしまう他、内容物が乾燥、硬化する等により上蓋の開閉動作に支障をきたすことがある。
【００１３】
そこで、本発明は、上述した問題点に鑑みて案出されたものであり、中栓の開口後に中栓上蓋や上蓋の内周部分に付着した内容物が上蓋と容器本体、又は上蓋と中栓本体との螺合部分にまで垂れ広がることを防止することのできるキャップ及びキャップ付き容器を提供することを目的とする。
【課題を解決するための手段】
【００１４】
本発明者は、上述した課題を解決するために、中栓の開口後に中栓上蓋や上蓋の内周部分に付着した内容物が上蓋と容器本体、又は上蓋と中栓本体との螺合部分にまで垂れ広がることを防止することのできるキャップ及びキャップ付き容器を発明した。
【００１５】
第１発明に係るキャップは、容器本体の開口部に取り付けられる中栓と、前記中栓の外側に取り付けられる筒状の上蓋とからなるキャップであって、前記中栓は、前記容器本体の開口部に取り付けられる中栓本体と、前記中栓本体の中央部分においてスコアを介して連結され、分離部側係止部が設けられた分離部と、前記中栓本体の周囲に形成された周溝部と、を備え、前記上蓋は、上蓋本体と、前記上蓋本体の内部の基底面から立設して設けられ前記分離部の前記分離部側係止部と係合可能な上蓋側係止部と、前記上蓋側係止部と前記上蓋本体の内周壁との間であって前記周溝部に対向する位置に設けられたよう壁と、前記上蓋側係止部と前記よう壁との間に設けられた大径円筒部と、を備え、前記分離部は、前記上蓋側係止部と、前記大径円筒部との間の間隙に挿通可能な形状を有することを特徴とする。
【００１６】
第２発明に係るキャップは、第１発明において、前記よう壁が前記周溝部の径方向における外側の内周壁に当接することを特徴とする。
【００１７】
第３発明に係るキャップは、第１発明において、前記よう壁が前記周溝部の径方向における内側の内周壁に当接することを特徴とする。
【００１８】
第４発明に係るキャップは、第１乃至第３発明の何れか１つにおいて、前記上蓋の周壁部の内周面に内ねじが設けられているとともに、前記中栓本体の外周面に前記内ねじと螺合する外ねじが設けられていることを特徴とする。
【００１９】
第５発明に係るキャップは、第１乃至第３発明の何れか１つにおいて、前記容器本体の外周面に外ねじが設けられているとともに、前記上蓋の周壁部の内周面には前記外ねじと螺合可能な内ねじがもうけられていることを特徴とする。
【００２０】
第６発明に係るキャップは、第４又は第５発明において、前記内ねじのリードをＬ、前記内ねじの条数をＮ、前記内ねじのピッチをＰとするとき、前記よう壁と前記周溝部の前記内周壁との当接距離について、当接距離≧Ｌ×（１／２）であり、かつ当接距離≧Ｎ×Ｐ×（１／２）となることを特徴とする。
【００２１】
第７発明に係るキャップ付き容器は、開口部が形成された筒状の容器本体と、前記容器本体に取り付けられて前記容器本体を開閉可能に密閉するキャップと、を備えたキャップ付き容器であって、前記キャップは第１発明乃至６発明の何れか１つに係るキャップであることを特徴とする。
【発明の効果】
【００２２】
上述した構成からなる本発明によれば、中栓の開口後に中栓上蓋や上蓋の内周部分に付着した内容物が上蓋と容器本体、又は上蓋と中栓本体との螺合部分にまで垂れ広がることを防止することが可能となる。
【図面の簡単な説明】
【００２３】
【図１】本発明の実施形態に係るキャップ付き容器の分解斜視図である
【図２】本発明の実施形態に係るキャップ付き容器の分解断面図である。
【図３】本発明の実施形態に係るキャップ付き容器を組み立てた状態を示す断面図である。
【図４】図３におけるＡ部を拡大して示した部分拡大断面図である。
【図５】本発明の実施形態に係るキャップ付き容器の上蓋を取り外した状態を示す断面図である。
【図６】本発明の第１変形例に係るキャップ付き容器を組み立てた状態を示す断面図である。
【図７】本発明の第２変形例に係るキャップ付き容器を組み立てた状態を示す断面図である。
【発明を実施するための形態】
【００２４】
以下、本発明の実施形態に係るキャップ付き容器について詳細に説明する。
【００２５】
図１は、本発明の実施形態に係るキャップ付き容器１の分解斜視図である。図２は、本発明の実施形態に係るキャップ付き容器１の分解断面図である。図３は、本発明の実施形態に係るキャップ付き容器１を組み立てた状態を示す断面図である。図４は、図３におけるＡ部を拡大して示した部分拡大断面図である。
【００２６】
本発明の実施形態に係るキャップ付き容器１は、容器本体２と、容器本体２の開口部２１に取り付けられるキャップ３とを備えて構成されている。
【００２７】
容器本体２は開口部２１を有するボトル状の容器であって、樹脂やガラス等、種々の素材により構成されているものを用いることができる。以下の説明において、この容器本体２には内容物として、調味料、飲料等を始めとした液体が封入される場合を例に取り説明をするが、これに限定されるものではなく、粉状物や粒状物等、いかなる内容物が封入されていてもよい。
【００２８】
キャップ３は、樹脂成形品であり、容器本体２の開口部２１に取り付けられる中栓４と、中栓４の外側を覆うように中栓４に螺合されて取り付けられる上蓋５とを備えて構成されている。
【００２９】
中栓４は、弾性変形可能な樹脂製の一体成形品であり、中栓本体４４と、肉薄のスコア４５を介して連結された分離部４６とを備えて形成されている。
【００３０】
中栓本体４４は、上方（図１〜４の紙面上方）に先細の注ぎ口４７を有するとともに、下方（図１〜図４の紙面下方）に下部内周壁４１及び下部外周壁４２を有する筒状の部材である。
【００３１】
注ぎ口４７の先細の形状は、開口後に容器本体２内の内容物を注ぎやすくするための形状であるが、本発明においてはこの形状に限定する必要はなく、円筒状等、他の形状であってもよい。注ぎ口４７の上端外周縁部分は、径方向の外側に向けて斜め上方に突出した、弾性変形可能な鋭端部４７１となっている。
【００３２】
中栓本体４４の径方向の外周縁部には、上方に向けて立設された外周壁４８２が形成されている。外周壁４８２は中栓本体４４の外周縁部に円環状に形成された壁体であり、この外周壁４８２と注ぎ口４７の外周面４８１とにより、中栓本体４４の周縁部に円環状に周溝部４８が形成されている。
【００３３】
外周壁４８２の外周面には、上蓋５と螺合するねじ山である中栓側突条部４３が外周面に沿い螺旋状に形成されている。
【００３４】
下部内周壁４１及び下部外周壁４２は、容器本体２の開口部２１への中栓本体４４の取り付けに供する部分であり、開口部２１に嵌合し固定される。
【００３５】
また、中栓本体４４の先端の内側部分には、スコア４５を介して分離部４６が連結して設けられている。
【００３６】
分離部４６は、円板状の基底部４６１と、基底部４６１の周縁部分から垂直に立設された周壁部４６２により形成される筒状の部材である。
【００３７】
周壁部４６２には、その内周面に沿い内ねじとなる分離部側突条部４６３が、分離部４６の軸方向を中心とした螺旋状に形成されている。分離部側突条部４６３の螺旋の向きは、中栓側突条部４３の螺旋の向きと逆の向きに形成されている。
【００３８】
なお、本明細書において内ねじとはねじ山がキャップ付き容器１の軸心方向を向いたねじのことをいい、外ねじとはその逆の向きであるねじのことをいう。
【００３９】
分離部４６の周壁部４６２は、上蓋５の後述する小径円筒部５２１と大径円筒部５２４との間の間隙Ｓ２に挿通可能な形状を有している。
【００４０】
上蓋５は、樹脂製の一体成形品であり、中栓４の外側に螺合される円筒状の蓋である。上蓋５は、上蓋基底部５２及び上蓋周壁部５３により形成される上蓋本体５１と、上蓋基底部５２の下面から略垂直に立設された小径円筒部５２１と、大径円筒部５２４と、よう壁５２５と、を備えて形成されている。
【００４１】
上蓋基底部５２の上面（図１〜図４の紙面上方）には、軸方向に平行な断面形状（図１〜図４に示す断面形状）が緩やかな円弧状となる上面凹部５５１が形成されている。
【００４２】
キャップ付き容器１が上蓋５側を下にして落下した際に上蓋基底部５２の上面中央部分が地面に衝突すると、その衝撃が後述する小径円筒部５２１から分離部４６へと伝わり、スコア４５を破損してしまうことがある。
【００４３】
しかし、本実施形態においてはこの上面凹部５５１が形成されていることで、キャップ付き容器１の落下時に上蓋基底部５２の上面中央部分が地面に衝突することが無くなり、スコア４５の破損を効果的に防止することができる。
【００４４】
上蓋基底部５２の下面（図１〜図４の紙面下方）を基底面として、径方向内側から外側にかけて、小径円筒部５２１、大径円筒部５２４及びよう壁５２５が、それぞれ上蓋基底部５２の基底面から垂直かつ同心円状に立設されて構成されている。
【００４５】
小径円筒部５２１は、弾性変形可能な程度の厚さに円筒状に形成されている。小径円筒部５２１には、その外周面５２２上に螺旋状のねじ山であり、内ねじである分離部４６の分離部側突条部４６３と螺合可能である外ねじとなる小径突条部５２３が形成されている。
【００４６】
小径突条部５２３は、その外径が分離部４６の周壁部４６２の内径よりも小さく、かつ分離部側突条部４６３の内径よりも大きく形成されている。
【００４７】
大径円筒部５２４は、中栓本体４４と分離部４６との間に形成されている間隙Ｓ１に挿通可能な円筒状の形状を有している。
【００４８】
よう壁５２５は、中栓４の周溝部４８に対向する位置、すなわち上蓋５の径方向において中栓４の周溝部４８の範囲内（外周壁４８２と注ぎ口４７の外周面４８１との間）に位置するように円環状に設けられている。
【００４９】
上蓋周壁部５３は、小径円筒部５２１、大径円筒部５２４及びよう壁５２５よりも高く形成されている壁体である。上蓋周壁部５３の内周側には、小径突条部５２３の螺旋の向きと逆の向きであって、中栓側突条部４３と螺合可能な内ねじである上蓋側突条部５３１が形成されている。
【００５０】
上述した容器本体２、中栓４及び上蓋５が図３に示す状態に組み立てられる際には、容器本体２の開口部２１が中栓４の下部内周壁４１及び下部外周壁４２の間に挿通、固定されるとともに、中栓４と上蓋５との螺合が行われる。
【００５１】
中栓４と上蓋５との螺合は、中栓４の中栓側突条部４３と上蓋５の上蓋側突条部５３１との螺合により行われる。
【００５２】
ここで、中栓側突条部４３及び上蓋側突条部５３１の螺旋方向と、分離部側突条部４６３及び小径突条部５２３の螺旋方向とは逆になっている。
【００５３】
そのため、中栓４と上蓋５とを螺合するように上蓋５を回転させても、分離部側突条部４６３と小径突条部５２３とは螺合することができない。
【００５４】
そこで、小径円筒部５２１の分離部４６内への挿入は、小径円筒部５２１が径方向内側に弾性変形し、小径突条部５２３が分離部側突条部４６３を乗り越えることで行われる。
【００５５】
具体的には、図３及び図４に示すように、小径円筒部５２１の小径突条部５２３と、分離部４６の分離部側突条部４６３とは、小径円筒部５２１を分離部４６から引き抜くよりも小径円筒部５２１を分離部４６内に押し込むことを容易にする形状の突起となっている。
【００５６】
すなわち、小径突条部５２３は、小径円筒部５２１の管軸方向に平行な断面形状において、その下面５２３ａがテーパ面となっているとともに、上面５２３ｂが管軸方向に対して垂直な面となっている。
【００５７】
一方、分離部側突条部４６３は、分離部４６の管軸方向に平行な断面形状において、その上面４６３ｂがテーパ面となっているとともに、下面４６３ａが管軸方向に対して垂直な面となっている。
【００５８】
そのため、小径円筒部５２１を分離部４６内に挿入する際には、小径突条部５２３の下面５２３ａに形成されたテーパ面と、分離部側突条部４６３の上面に形成されたテーパ面４６３ｂとがガイドとなり、当該挿入を容易にすることができる。
【００５９】
そして、小径円筒部５２１の分離部４６内への進行は、その先端部分が分離部４６の基底部４６１に当接した状態となったところで停止される。
【００６０】
一方、小径円筒部５２１が分離部４６内に挿入された後には、互いに径方向に水平な平面である小径突条部５２３の上面５２３ｂと分離部側突条部４６３の下面４６３ａとが当接するが、上述したテーパ面同士の当接と異なりガイド機能を奏しない。
【００６１】
そのため、小径円筒部５２１を分離部４６に完全に進入した後には、分離部側突条部４６３が小径突条部５２３を乗り越えることができず、小径突条部５２３と分離部側突条部４６３とが噛み合った状態となる。
【００６２】
この噛み合いにより分離部４６内に挿入された小径円筒部５２１が固定される。これにより分離部４６が上蓋５に固定された状態となり、小径円筒部５２１から分離部４６が脱落することを防止することができる。
【００６３】
キャップ付き容器１内に内容物が封入された状態（流通状態）では、内容物で満たされた容器本体２に対して、中栓４が未開口な状態で取り付けられていて、容器本体２内部が密閉された状態となっている。
【００６４】
そして、キャップ付き容器１内の使用時、すなわち内容物を容器本体２外部に放出する際には、上蓋５の取り外しが行われるが、最初に使用する際には、この上蓋５の取り外しに伴い中栓４の開口も行われる。
【００６５】
上蓋５の取り外しとこれに伴う中栓４の開口について説明する。図５は、本発明の実施形態に係るキャップ付き容器の上蓋を取り外した状態を示す断面図である。
【００６６】
上蓋５の取り外しは、上蓋５を開方向、すなわち中栓側突条部４３及び上蓋側突条部５３１の螺合を緩める方向に回転させることで行われる。
【００６７】
上蓋５の開方向への回転は、中栓側突条部４３及び上蓋側突条部５３１により、上蓋５を容器本体２及び中栓４から離間させる動作に変換される。
【００６８】
このとき、分離部４６は上蓋５の小径円筒部５２１に固定された状態となっている。また、小径突条部５２３及び分離部側突条部４６３の螺合方向と、中栓側突条部４３及び上蓋側突条部５３１の螺合方向とは逆方向である。
【００６９】
これにより、中栓側突条部４３及び上蓋側突条部５３１の螺合を緩める方向への上蓋５の回転時、小径突条部５２３及び分離部側突条部４６３の螺合に対してはこれを締めるように作用するため、分離部４６の小径円筒部５２１への固定状態は緩むことがない。
【００７０】
そして、上蓋５の開方向への回転に従動して分離部４６も中栓本体４４から離間することで、分離部４６と中栓本体４４とを連結するスコア４５が引っ張られ、破断される。
【００７１】
こうしてスコア４５が破断され、中栓本体４４と分離部４６とが分離することで、開口部４５０が開放され、中栓４が開口された状態となる。そして、上蓋５を取り外すことで容器本体２の内容物を容器本体２の外に放出することが可能となる。
【００７２】
また、取り外した上蓋５を中栓４に対して閉方向に回転し全閉位置まで螺合させると、上蓋５の大径円筒部５２４及び上蓋５に固定された分離部４６が中栓本体４４の開口部内に挿通される。そして、大径円筒部５２４の下面と注ぎ口４７の内周面から突出している開口部４５０の上面が当接するとともに、更に大径円筒部５２４の外周面が注ぎ口４７の内周面に当接することで、開口部４５０が塞がれた状態となる。
【００７３】
更に、中栓本体４４の注ぎ口４７の鋭端部４７１が弾性変形しつつ上蓋５の上蓋基底部５２の下面に当接する。この弾性変形した鋭端部４７１の復元力により、開口部４５０に連続して形成された注ぎ口４７も密閉される。
【００７４】
こうして上蓋５を再度取り付けることで、中栓４を密閉することができる。
【００７５】
ところで、上蓋５を中栓４に取り付けた際に、内容物が大径円筒部５２４の周囲の面や上蓋５に固定されている分離部４６の下面に付着することがある。
【００７６】
こうして大径円筒部５２４や分離部４６に内容物が付着した状態で、上蓋５を取り外し、上蓋基底部５２を下に向けた状態で食卓やキッチン等の上に載置した場合、付着した内容物が大径円筒部５２４や分離部４６から上蓋基底部５２へと垂れ広がることがある。
【００７７】
そして、内容物が上蓋周壁部５３まで垂れ広がった状態で再度上蓋５を中栓４に取り付けると、内容物が上蓋周壁部５３から中栓側突条部４３と上蓋側突条部５３１の螺合部分に入り込んでしまう。こうして螺合部分が汚れてしまう他、内容物が乾燥、硬化する等により、上蓋５の開閉動作に支障をきたすことがある。
【００７８】
しかし、本発明に係るキャップ付き容器１では、上蓋基底部５２に内容物が垂れ広がった場合でも、内容物の広がりがよう壁５２５により防止され、上蓋周壁部５３まで広がらないようになっている。
【００７９】
また、上蓋５に内容物が付着した状態でこれを中栓４に取り付けた場合には、上蓋基底部５２に付着した内容物がよう壁５２５を伝い下方に垂れるが、よう壁５２５は中栓４の周溝部４８に対向する位置に設けられているため、よう壁５２５から垂れた内容物は周溝部４８内に落下し周溝部４８内に留まる。
【００８０】
こうした構造により、内容物が中栓側突条部４３と上蓋側突条部５３１の螺合部分に入り込むことを防止することができる。
【００８１】
また、内容物を中栓本体４４の開口部４５０から外部に放出する際に、内容物が開口部４５０から外周面４８１に垂れてしまうことがある。しかし、この場合でも内容物は周溝部４８内に入りここに留まるため、内容物が中栓側突条部４３と上蓋側突条部５３１の螺合部分に入り込むことを防止することができる。
【００８２】
なお、本発明は上述した実施形態に限られることなく、種々の変形が可能である。
【００８３】
図６は、本発明の第１変形例に係るキャップ付き容器を組み立てた状態を示す断面図である。
【００８４】
第１変形例に係るキャップ付き容器１’は、よう壁５２５’以外の構成は上述した実施形態に係るキャップ付き容器１と同様である。
【００８５】
一方、第１変形例に係るキャップ付き容器１’では、上述した実施形態に係るキャップ付き容器１と異なり、よう壁５２５’が、上蓋５を閉じた状態において周溝部４８の径方向における外側の内周壁４８３に当接する態様となっている。
【００８６】
上蓋５を開ける際、握力の弱い使用者等は、上蓋５を開けやすくすべく、キャップ付き容器１’の軸線方向を水平に向け、上蓋５と容器本体２とをそれぞれの手で把持した状態で上蓋５を回転させることがある。
【００８７】
そして、キャップ付き容器１’を水平にした状態で上蓋５を緩めた場合、よう壁５２５’と周溝部４８の内周壁との当接が無くなると、内容物が開口部４５０から中栓側突条部４３と上蓋側突条部５３１との間に流れ込んでしまう。
【００８８】
一方で、使用者の手首の構造上の制限により、キャップ付き容器１’を水平方向に保持し続けたまま上蓋５を取り外すことは難しく、キャップ付き容器１’を次第に垂直な状態に起こしつつ上蓋５の取り外し動作を行うことで、当該動作を容易に行うことができる。一般的には、キャップ付き容器１’の姿勢が水平から垂直に至るまでの上蓋５の回転角度は１８０度程度である。
【００８９】
そこで、本変形例ではこのような使用者の性質を利用して、上蓋５を完全に取り外しきるまでの上蓋５の回転角度を全閉状態から１８０度以上となるように中栓側突条部４３と上蓋側突条部５３１を設計するとともに、上蓋５を１８０度まで回転させるまでよう壁５２５’と周溝部４８の内周壁が当接し続けるようになっている。
【００９０】
具体的には、本変形例においては、よう壁５２５’の高さは、内ねじである中栓側突条部４３についてのリードをＬ、条数をＮ、ピッチをＰとするとき、よう壁５２５’と周溝部４８の内周壁との当接距離について、当接距離≧Ｌ×（１／２）であり、かつ当接距離≧Ｎ×Ｐ×（１／２）となるように設計されている。
【００９１】
なお、リードとは、ねじ部分が１回転する際に軸心方向に相対的に移動する長さであり、ピッチとはねじ山間（隣接する中栓側突条部４３間）の距離である。
【００９２】
よう壁５２５’がこのように設計されていることで、上蓋５を全閉状態から１８０度回転させるまで、よう壁５２５’と周溝部４８の内周壁を当接し続けることができる。
【００９３】
これにより、上蓋５を開く動作がキャップ付き容器１’を水平に把持した状態から開始された場合でも、内容物が中栓側突条部４３と上蓋側突条部５３１との間に流れ込むこと、及び蓋を開けた途端に内容物がこぼれることを効果的に防止することができる。
【００９４】
図７は、本発明の第２変形例に係るキャップ付き容器１０を組み立てた状態を示す断面図である。
【００９５】
図７に示す第２変形例に係るキャップ付き容器１０では、第１変形例に係るキャップ付き容器１’と異なり、よう壁５２５が周溝部４８の径方向における内側の内周壁に当接している。この点以外は上述した実施形態や第１変形例と同様である。
【００９６】
第２変形例に係るキャップ付き容器１０においても、よう壁５２５の高さは、内ねじである中栓側突条部４３について、リードをＬ、条数をＮ、ピッチをＰとするとき、よう壁５２５と周溝部４８の内周壁との当接距離について、当接距離≧Ｌ×（１／２）であり、かつ当接距離≧Ｎ×Ｐ×（１／２）となるように設計されている。
【００９７】
よう壁５２５がこのように設計されていることで、上蓋５を全閉状態から１８０度回転させるまで、よう壁５２５と周溝部４８の内周壁を当接させ続けることができる。
【００９８】
そして、１８０度回転させた後はキャップ付き容器１０が垂直になるため、更に上蓋５の開封が進み、よう壁５２５が周溝部４８の内周壁と当接しない状態となっても、内容物は周溝部４８内に留まり、中栓側突条部４３と上蓋側突条部５３１との間に流れ込むことはない。
【００９９】
これにより、上蓋５を開く動作がキャップ付き容器１０を水平に把持した状態から開始された場合でも、内容物が中栓側突条部４３と上蓋側突条部５３１との間に流れ込むことを効果的に防止することができる。
【０１００】
また、第２変形例に係るキャップ付き容器１０は、第１変形例に係るキャップ付き容器１’と比較して、よう壁５２５が上蓋５の径方向の内側に設けられているため、注ぎ口４７とよう壁５２５との間の空間が狭くなり、キャップ内にこぼれる内容物の量を少なく出来る。
【０１０１】
なお、上述した実施形態及び各変形例においては、容器本体２に取り付けられた中栓４と上蓋５とが螺合することで容器本体２内部が密閉される態様であったが、本発明においてはこれに限らず、容器本体２の外周面に螺旋状の突条部を設け、この突条部と上蓋５の内周面に設けられた螺旋状の突条部が螺合することで上蓋５が取り付けられる態様としてもよい。
【０１０２】
このように容器本体２と上蓋５とが螺合する態様であっても、本発明を適用し、上述したものと同様の効果を奏することができる。
【０１０３】
また、上述した実施形態及び各変形例においては、分離部４６と小径円筒部５２１との係止はそれぞれ係止部として設けられた螺旋状の突条である分離部側突条部４６３及び小径突条部５２３により行われていた。
【０１０４】
しかし、本発明においてはこれに限らず、分離部４６と小径円筒部５２１に爪状の構造等、他の係止構造を設けることにより互いを係止する態様としてもよい。
【０１０５】
また、上述した実施形態及び各変形例においては、上蓋５を開方向に回転させることで中栓４開封するタイプのキャップについて説明されていたが、本発明においてはこれに限らず、上蓋５の締め込み動作により中栓４を開封するタイプのキャップとしてもよい。すなわち、上蓋５の締め込み動作によりスコア４５を破断し中栓本体４４と分離部４６とを分離させ開口部４５０を形成するとともに、分離した分離部４６が上蓋５に保持される態様としてもよい。このような態様のキャップについても本発明を適用することができ、同様の作用効果を奏することができる。
【０１０６】
また、上述した実施形態及び各変形例においては、上蓋全体を開閉するタイプのキャップについて説明されていたが、本発明においてはこれに限らず、上蓋基底部５２を、上蓋周壁部５３にヒンジを介して連結され上蓋周壁部５３に対して開閉可能な蓋体として形成したキャップとしてもよい。このような態様のキャップについても本発明を適用することができ、同様の作用効果を奏することができる。
【符号の説明】
【０１０７】
１、１’、１０  キャップ付き容器
２  容器本体
３  キャップ
４  中栓
５  上蓋
２１  開口部
４１  下部内周壁
４２  下部外周壁
４３  中栓側突条部
４４  中栓本体
４５  スコア
４６  分離部
４７  注ぎ口
４８  周溝部
５１  上蓋本体
５２  上蓋基底部
５３  上蓋周壁部
４５０  開口部
４６１  基底部
４６２  周壁部
４６３  分離部側突条部
４６３ａ  下面
４６３ｂ  上面
４７１  鋭端部
４８１  外周面
４８２  外周壁
４８３  内周壁
５２１  小径円筒部
５２３  小径突条部
５２３ａ  下面
５２３ｂ  上面
５２４  大径円筒部
５２５  よう壁
５３１  上蓋側突条部
５５１  上面凹部
【図１】
0006469478.tif 000002
【図２】
0006469478.tif 000003
【図３】
0006469478.tif 000004
【図４】
0006469478.tif 000005
【図５】
0006469478.tif 000006
【図６】
0006469478.tif 000007
【図７】
0006469478.tif 000008